(57)【要約】  システム及び方法は、ビデオコンテンツがユーザによりインタネット（１４０）を介して選択され、マルチチャンネルのビデオ放送システムを介して配信されることを可能にし、選択されたビデオコンテンツは、ユーザのいる場所にあるテレビモニタ（１５０）上又はテレビ表示カードを備えたＰＣ（１６０）上に、ユーザコマンドに応じて即時に又は遅れて表示される。本システムは、選択可能なビデオコンテンツ（２１０，２２０，２３０）を保存するメインビデオサーバ（２００）と、ユーザがユーザコマンドを送信して、即時に又は遅れて表示されるべきビデオコンテンツを選択し、インタネットを介してアクセス可能な認証サーバ（３００）と、マルチチャンネルのケーブル又は衛星放送装置（２５０，２８０，２８５）と、放送装置で放送されるべき選択されたビデオコンテンツを、メインビデオサーバ（２００）から放送装置（２５０，２８０，２８５）に提供する配信サーバ（３５０）とを含む。本システムは、選択されたビデオコンテンツを、ユーザコマンドに応じて即時に又は遅れて放送するのに利用可能なチャンネルの指示を提供するように構成されている。この指示は、認証サーバ（３００）及びインタネット（１４０）を介してユーザが利用可能である。指示された利用可能なチャンネル上での選択されたビデオコンテンツの放送は、ユーザコマンドに応じて即時に又は遅れて開始される。【選択図】  図５
2007511127.tif 000002
【特許請求の範囲】
【請求項１】
インタネット(140)を介してユーザがビデオコンテンツを選択し、選択されたビデオコンテンツをマルチチャンネルのビデオ放送システムを通じて配信することを可能にし、前記選択されたビデオコンテンツをマルチチャンネル受信機上で受信して、前記ユーザのいる場所にあるテレビモニタ(150)上又はテレビ表示カードを備えたＰＣ(160)上に表示させるシステムであって、
複数の選択可能なビデオコンテンツ(210,220,230)を保存するメインビデオサーバ(200)と、
ユーザがユーザコマンドを送信して即時に又は遅れて表示されるべきビデオコンテンツを選択し、前記インタネットを介してアクセス可能な認証サーバ(300)と、
マルチチャンネルのビデオ放送装置(250,280,285)と、
前記放送装置のチャンネル上で放送されるべき選択されたビデオコンテンツを、前記メインビデオサーバ(200)から前記放送装置(250,280,285)に提供する配信サーバ(350)と、を有し、
前記システムは、ユーザコマンドに応じて選択されたビデオコンテンツを即時に又は遅れて放送するのに利用可能なチャンネルの指示を提供するように構成されており、前記指示は前記ユーザが前記認証サーバ(300)及び前記インタネット(140)を介して利用可能であって、
前記システムは、前記ユーザコマンドに応じて、選択されたビデオコンテンツの放送を前記指示された利用可能なチャンネル上で即時に又は遅れて開始するように構成されている、システム。
【請求項２】
前記メインビデオサーバ(200)は、ライブ放送(210)、録画ビデオ(220)、及びビデオオンデマンド(230)を保存している、請求項１記載のシステム。
【請求項３】
前記マルチチャンネルのビデオ放送装置(250,280,285)は、数百のチャンネルを有するブロードバンドデジタル放送装置である、請求項１又は２記載のシステム。
【請求項４】
前記マルチチャンネルのビデオ放送装置はケーブルテレビネットワーク(250)を有する、請求項１、２、又は３記載のシステム。
【請求項５】
前記マルチチャンネルのビデオ放送装置は、通信衛星(285)に送信するように構成された地上送信ステーション(280)を有する、請求項１、２、又は３記載のシステム。
【請求項６】
前記配信サーバ(350)は、ユーザコマンドに応じて即時に又は遅れて放送するのに利用可能なチャンネルの自動化された選択、又はユーザコマンドで支援される部分的に自動化された選択を提供するように構成されている、請求項１ないし５いずれか１項に記載のシステム。
【請求項７】
前記メインビデオサーバ(200)を操作するためにメイン認証サーバ(300)に接続された処理システム(320)を有する、請求項１ないし６いずれか１項に記載のシステム。
【請求項８】
インタネット(140)を介してユーザがビデオコンテンツを選択することを可能にし、マルチチャンネルのビデオ放送システムを介して選択されたビデオコンテンツを配信し、前記選択されたビデオコンテンツをマルチチャンネル受信機上で受信して、前記ユーザのいる場所にあるテレビモニタ(150)上又はテレビ表示カードを備えたＰＣ(160)上に表示させる方法であって、
-  メインビデオサーバ(200)に保存されている複数の選択可能なビデオコンテンツ(210,220,230)から、即時に又は遅れて表示されるべきビデオコンテンツを、前記インタネット(140)を介して送信されるユーザコマンドに応じて選択すること、
-  選択されたビデオコンテンツを、前記メインビデオサーバ(200)からマルチチャンネルのビデオ放送装置(250,280,285)に、前記選択されたビデオコンテンツを前記放送装置の利用可能なチャンネル上で放送するために提供すること、
-  ユーザコマンドに応じて選択されたビデオコンテンツを即時に又は遅れて放送するのに利用可能なチャンネルの指示を提供するように構成されており、前記指示は、ユーザが前記認証サーバ(300)及び前記インタネット(140)を介して利用可能なこと、
-  前記ユーザコマンドに応じて、前記指示されたチャンネル上で選択されたビデオコンテンツの放送を即時に又は遅れて開始すること、を有する方法。
【請求項９】
前記ビデオコンテンツは、ライブ放送(210)、録画ビデオ(220)、及びビデオオンデマンド(230)から選択される、請求項８記載の方法。
【請求項１０】
前記選択されたビデオコンテンツは、数百のチャンネルを有するブロードバンドから選択されたチャンネル上で放送される、請求項８又は９記載の方法。
【請求項１１】
前記選択されたビデオコンテンツは、ケーブルテレビネットワーク(250)のチャンネル上で放送される、請求項８、９、又は１０記載の方法。
【請求項１２】
前記選択されたビデオコンテンツは、通信衛星(285)に送信する地上送信ステーション(280)を介して放送される、請求項８、９、又は１０記載の方法。
【請求項１３】
ユーザコマンドに応じて即時に又は遅れて放送するのに利用可能なチャンネルの選択は、自動化されており、又は部分的に自動化されてユーザコマンドにより支援されている、請求項８ないし１２いずれか１項に記載の方法。
【発明の詳細な説明】
【技術分野】
【０００１】
本発明は、処理サーバに対する認証サーバを通して、テレビ放送ケーブル及び／又は直結テレビケーブルを通じて、又は衛星に関連付けられた受信機を通じて作動する配信サーバによって選択する準備ができている、ライブビデオ、録画ビデオ、又はビデオオンデマンドを有するメインビデオサーバに対して、ビデオチャンネル又はテレビチャンネルの番組を明瞭な方法で送信し、テレビモニタ又はテレビチャンネルを受信するカードを備えたＰＣ上に表示する、新規な操作システムを備えたシステムに関する。
【背景技術】
【０００２】
種々のイベントのライブを、テレビ又はインタネット上で見ることは、一般の人々に対して莫大かつ直接的な影響を与える。デジタルテレビチャンネル及びインタネットサイト上には数百万ものプログラムがあり、一般の人々の興味を維持するため、これらのライブイベントに対する需要は増加している。テレビ及びビデオコマーシャル、及び地方のイベントを取り上げる他のコマーシャルも、一般の人々に対して非常に大きな効果がある。
【０００３】
我々は、インタネットを通してコンピュータ画面上に表示されるビデオが、リロードのために急に停止することがあり、また、インタネットから取得される画像及び音声が決して明瞭ではないことに気付いた。このことは、我々が、テレビ上のネットワークから明瞭な画像及び音声を受信するために、この問題の解決法を見つける動機付けとなった。我々は、最も利用可能な解決法が高価であり、また、一般の人々は通常、顧客の要望にもよるが、５６ｋバイト（又はそれ以上の場合もある）のモデム等の低コストによる解決法を好むことに気付いた。
【０００４】
高速モデムは高速でデータを転送するので費用と時間を節約するが、通常一般の人々に好まれる解決法は５６ｋバイトのモデムであり、この理由から、我々は本発明を提供する。
（従来技術）
【０００５】
（１）ケーブルテレビ
ケーブル事業会社は現在（２００３年）、米国の１億１０００万世帯のうち約７０００万世帯にまで顧客の範囲を広げ、また、２００３年末までに、これらケーブルの顧客の９０％以上が利用可能な、アップグレードされたブロードバンドケーブル設備を有すると予測されている。業界アナリストは、ケーブルの顧客全体の３０％〜９０％が、２００３年までに、双方向テレビ及びオンライン広帯域サービスの加入者になるだろうと予測している。アップグレードされた設備により、ケーブル事業会社は、アナログテレビ信号をデジタルテレビ信号に変更し、デジタルテレビの約５００のチャンネルを提供する帯域幅容量を有するようになるであろう。ただし、本発明は、それらに要するコストを削減する好適な解決法を一般の人々に提供することを目的としている。
【０００６】
（２）インタネット回線
５６ｋバイトの回線は、インタネットの標準回線であり、それを使用する費用は低コストであるので世界的に一般に使用されている。
【０００７】
ＤＳＬインタネット回線は、アラブ首長国連邦で約４０万人の加入者を有しており、ＤＳＬ回線は、米国における加入者が、２００３年までに、現在の１０００万人から４０００万人超まで増加すると予測されている。
【０００８】
ケーブルサービスエリアにおける数百もの利用可能な新たなチャンネル、及びオンラインビデオサービスによって可能になる数百万ものインタネットサイト用のプログラムを作成するのに、数千もの新たなデジタルテレビ及びビデオ製作会社が作られると予想されるが、それらはすべて新しいビデオコンテンツを必要とする。
【０００９】
膨大な数の高品質のフィルムは、映画やテレビケーブル会社を介してのみ見出される。インタネットは一般の人々に莫大かつ直接的な影響を及ぼすに違いないので、本発明は、インタネットにより、フィルムを転送する、又は直接放送及び／又はビデオオンデマンドを転送する新たな方法を開示することを目的としている。デジタルテレビチャンネル及びインタネット上には数百万ものコンテンツがある。視聴者の関心を更に引くために、これらのサイトに対する要求が増加する。ビデオコマーシャルや地方のイベントを取り上げる他のコマーシャルもある。
【００１０】
（３）遠隔操作に基づいたネットワークの分野における先行技術
ユーザがインタネットサイトを閲覧してサイトにデータを入力することを可能にするローカルコンピュータネットワークにより、例えば、ＰＣ、テレビ、ビデオ装置、又はインタネットを通してネットワークに接続された他のあらゆる機器等の装置の電源を入れる又は切るなど、誰でも自動的に装置を遠隔操作することができる。更に、インタネットを遠隔操作環境として使用して、ＰＣ、テレビ、又はビデオ等の電気系統を開閉することができる。
【００１１】
（４）衛星及び受信機の分野における先行技術
衛星及び受信機の使用法については良く知られている。広域をカバーして、映画や、テレビ及びラジオプログラムを放送しているＡｒａｂＳａｔ及びＥｕｒｏＳａｔ等の多くの衛星がある。衛星は、地上局から必要なコンテンツを受信し、その後、加入者コードを含むチップを備えており、テレビ、或いはテレビカード又はビデオカードを備えたＰＣに接続された、受信機を持つ加入者に再送信している。既知の衛星システムの一例は、アラブ首長国連邦のＡＬＴＨＵＲＡＩＡシステムであり、これはますます多くの国をカバーしている。
【００１２】
（５）ビデオ配信に関する特許文献における従来の提案
米国特許第６，５６４，３８０号（特許文献１）は、顧客によってダウンロードされ、顧客のウェブサイト及び配信ネットワークを通して配信されるビデオオンデマンドファイルを含むビデオへのアクセスを含んでいる、インタネットを基盤とするビデオ供給管理システムを開示している。
【００１３】
ＷＯ９９／６３７５７（特許文献２）は、インタネットプロトコルを介して放送テレビを配信するシステムを記載している。
【００１４】
米国特許第６，５１０，５５６号（特許文献３）は、保存されているビデオデータの配信スケジュールを保有するスケジュール表を含んでいる、保存されたビデオを視聴者に配信するビデオ配信装置を開示している。コントローラが、保存されているビデオデータの延期配信を制御している。ユーザは、ビデオのタイトル、ユーザが選択したビデオデータの配信用チャンネル、及び配信が開始する後の指定時間を含む予約リクエストを満たす入力を行う。このシステムはライブビデオには適さない。
【００１５】
米国特許第６，５５７，０３０号（特許文献４）は、データオンデマンドサービス用のスケジューリングマトリックスを生成する方法を開示している。
【００１６】
米国特許第６，５７１，３９０号（特許文献５）は、ビデオオンデマンドを注文するユーザインタフェースを開示している。
【００１７】
この特許文献は、本発明を理解するのに有用であるので、これらの文献の内容を参考として本明細書に組み込んでいる。
【特許文献１】米国特許第６，５６４，３８０号
【特許文献２】ＷＯ９９／６３７５７
【特許文献３】米国特許第６，５１０，５５６号
【特許文献４】米国特許第６，５５７，０３０号
【特許文献５】米国特許第６，５７１，３９０号
【発明の開示】
【課題を解決するための手段】
【００１８】
本発明は、特に、インタネットを通して必要なプログラムを注文するためにインタネットに接続されたメイン認証サーバにより選択されたビデオチャンネル又はテレビチャンネルを放送するシステムに関する。このインタネットは、ニュース、スポーツ、演劇、学校、営業会議等の種々のサイトを有している。いかなる加入者も、そのＩＰアドレス、及び／又はテレビケーブルのコード、デジタルケーブル、或いは受信デコーダ及び／又は受信機チップのコードを入力することにより、メイン認証サーバ通してウェブに入ることを要求することができる。その注文は、処理サーバに転送され、テレビ又はビデオステーションのメインビデオサーバに、次いで配信サーバに転送され、配信サーバは注文された対象物を、テレビケーブル又はデジタルケーブルを通して、或いは衛星を経由した受信機を通して、プログラムを視聴するテレビカードを有するユーザのＰＣかテレビモニタのいずれかに転送する。
【００１９】
本発明は、ライブ、録画、又はオンデマンドで製作された数百万ものテレビや映画フィルム、ビデオフィルム、及びプログラムを利用可能にして、これらの製品をインタネット上で選択できるようにすることを目的としている。本発明のシステムは、ウェブサイトを介して送信されたコマンドを用いたユーザの選択により選択されたプログラム及びコンテンツを放送するのに使用可能な既存の衛星ステーションから操作し放送することができ、これらのステーションは、本発明の主な一態様に記載のように、衛星を介して又はテレビ放送によりユーザの受信機及び／又はデコーダで受信される放送を送信する。
【００２０】
本発明は、インタネットを介して一覧から明瞭な音声及び画像を備えたビデオチャンネル又はテレビチャンネルを放送する方法及びシステムを提案している。
【００２１】
本発明は、インタネットに接続されたメイン認証サーバを通して選択されたビデオチャンネル又はテレビチャンネルを放送するためのシステムを提供することも目的としている。インタネットを介してビデオコンテンツを選択する注文は、処理サーバにより転送される。処理サーバは、一例として、製作会社の異なる場所の種々の配信ソースから提供されるライブコマーシャルを含むことができる、テレビ又はビデオステーションのメインビデオサーバへのビデオコンテンツの転送を制御する。メインビデオサーバは、現地カメラによって提供されるビデオのライブ供給に加え、予め録画されたビデオ及び他のソースによって提供されたビデオを保存し、テレビケーブル、デジタルケーブル、又は受信機を通して、或いは衛星を通してこれらのプログラムを送信する。このことは、ウェブサイト上のプログラムにアクセスする入力加入者からインタネットを通してユーザコマンドを受け取るために、インタネットに接続されたメイン認証サーバにより行われる。このオプションは、ネット上のすべての加入者が自由に利用できる。ウェブサイト上には、サイトに関する十分な情報があり、ライブ、予め録画されたビデオ、ビデオオンデマンド、又は他のオプション等の種々のオプションもある。ユーザは、制御コマンドを、メイン認証サーバを通してメインビデオサーバに自分の要望により入力することができる。認証サーバは、ウェブサイトで利用可能なビデオソースの一覧を含んでおり、ネットワークのホームサイトへのＩＰアドレスに接続されている。ビデオ配信装置にアクセスするためにこのサイトに入る加入者は、必要なサイトに入る契約に同意することを求められる。通常、ユーザは、所有するテレビケーブルやデジタルケーブル、又は受信機及び／又はデコーダのチップに関連付けられたコード又はパスワードを入力する。これにより、ユーザは、コマンドが処理サーバに、次にメインビデオ装置に転送され、その次に例えばケーブル、特にデジタルテレビケーブル及び受信機に接続し、最終的にユーザのテレビモニタ又はＰＣスクリーン上にプログラムを表示するテレビカードを有するパーソナルコンピュータ（ＰＣ）に接続される配信サーバに転送されることにより、衛星又は上述したような認証サーバを通して放送を受信することが可能になる。受信機がケーブルによってテレビモニタに接続されることにより、プログラムを非常に高解像度の画像及び明瞭な音声で見ることができる。このように、本発明は、特にインタネット回線の使用数が増加するインタネット上のピーク時に、インタネットから任意のビデオプログラムの音声及び画像を直接転送する際の不利な点を、より少ないコストで克服するものである。このことは、インタネット内の通信速度を低下させ、その結果品質に影響する。その上、ビデオコンテンツはコンピュータ上でダウンロードしなければならず、これには時間がかかり、また場合によっては、技術的問題によりコンピュータが停止する。本発明はこれらの前述の不利な点を回避するものである。
【００２２】
イベントが直接の、録画されたビデオ、又はビデオオンデマンドであったかに関わらず、映画のメインセンターのあらゆるプログラムに対する入力加入者の使用料をコンピュータ処理するコンピュータ価格表を作成することも可能である。請求は、システムと契約することにより、又はスマートカードを使用することにより可能である。
（発明の主な態様）
【００２３】
１つの主な態様において、本発明は、ユーザがインタネットを介してビデオコンテンツを選択することを可能にし、マルチチャンネルのビデオ放送システムを介して選択されたビデオコンテンツを配信し、選択されたビデオコンテンツをマルチチャンネル受信機で受信させてユーザのいる場所にあるテレビモニタ又はテレビディスプレイカードを備えたＰＣ上に表示させるシステムを提供する。本システムは、複数の選択可能なビデオコンテンツを保存するメインビデオサーバと、ユーザがユーザコマンドを送信して即時に又は遅れて表示されるべきビデオコンテンツを選択し、インタネットを介してアクセス可能な認証サーバと、マルチチャンネルのビデオ放送装置と、放送装置のチャンネル上で放送されるべき選択されたビデオコンテンツを、メインビデオサーバから放送装置に提供する配信サーバと、を有する。
【００２４】
一方、本発明によるシステムは、ユーザコマンドに応じて、選択されたビデオコンテンツを即時に又は遅れて放送するのに利用可能なチャンネル（即ち、少なくとも１つのチャンネル）の指示を提供するように構成されており、前記指示は、指示されたチャンネルを受信するためにユーザが自身のテレビ（又はテレビカードを備えたＰＣ）を調整できるように、ユーザが認証サーバを介して及びインタネットを介して利用可能である。他方、システムは、選択されたビデオコンテンツの放送を、指示された利用可能なチャンネル上で、前記ユーザコマンドに応じ、即ちユーザが注文を認証すると、即時に又は遅れて開始するように構成されている。
【００２５】
別の主な態様において、本発明は、ユーザがインタネットを介してビデオコンテンツを選択することを可能にし、マルチチャンネルのビデオ放送システムを介して選択されたビデオコンテンツを配信し、選択されたビデオコンテンツをマルチチャンネル受信機で受信させて、ユーザのいる場所にあるテレビモニタ又はテレビディスプレイカードを備えたＰＣ上に表示させる方法を提供する。本発明による方法は、メインビデオサーバ上に保存されている複数の選択可能なビデオコンテンツから、インタネットを介して送信されるユーザコマンドに応答して、即時に又は遅れて表示されるビデオコンテンツを選択するステップと、選択されたビデオコンテンツをメインビデオサーバからマルチチャンネルのビデオ放送装置に提供し、該選択されたビデオコンテンツを放送装置の利用可能なチャンネルで放送するステップと、ユーザコマンドに応じて選択されたビデオコンテンツを即時に又は遅れて放送するのに利用可能な１つの（又は１より多い）チャンネルの指示であって、認証サーバを介して及びインタネットを介してユーザが利用可能であり、従って指示されたチャンネルを受信するためにユーザが自身のテレビ又はテレビカードを備えたＰＣを調整できる指示を提供するステップと、選択されたビデオコンテンツの放送を、指示されたチャンネル上で、ユーザコマンドに応じて、即ちユーザが注文を確認すると即時に又は遅れて開始するステップと、を含む。
【００２６】
本発明のこれらの態様によるシステム及び方法は、前述の選択されたビデオコンテンツの明瞭な受信（インタネットによってだけでなく、好ましくはデジタル信号として、数百もの利用可能なデジタルテレビチャンネルを提供するケーブル又はブロードバンドの広帯域衛星放送によって送信される）を達成するとともに、ユーザが任意のビデオコンテンツを選択するだけで、その実際の瞬間的送信や表示、又は所望であれば遅延送信を制御できるという利点を有する。
【００２７】
以下に説明するように、本発明のシステム及び方法により、ユーザが異なるタイプのビデオコンテンツを即時に又は遅れて注文する際に、高い柔軟性及び利便性が可能になる。更に、注文の処理はサービスプロバイダにとって問題がなく、本発明を実施するために既存の機器を使用することができる。
【００２８】
本発明の更なる特徴及び態様は、添付の請求項、及び次の概要、並びに後述する詳細な説明に記載される。
（発明の概要）
【００２９】
本発明は、一般に、ユーザコマンドを、インタネットに接続されたメイン認証サーバを使用してインタネットを通して送信し、必要な対象物又はプログラムを、最終的にテレビケーブル又はデジタルテレビシステムを通してテレビモニタ又はテレビ受信カードを有するＰＣ上で受信することにより、テレビチャンネル又はビデオチャンネルをテレビモニタ又はＰＣ上に放送するための方法及びシステムに関する。本システム及び方法は、インタネットに接続されたメイン認証サーバを通して、テレビカードを備えたＰＣに必要なビデオコンテンツを再現する。新規なシステムの最終結果は、ダウンロード又はリロードする必要のない、優れた究極の音声及び画像である。必要なビデオを、テレビカードを備えたＰＣ上に表示することができる。ユーザは、テレビカードを備えたコンピュータを開いてインタネット上のウェブサイトを閲覧し、対応するオプションをクリックすることにより必要なビデオを選択することができ、ユーザコマンドがインタネットに接続された認証サーバを介して配信され、必要なビデオを選択してそれを処理サーバに送信し、処理サーバは、それを、ＩＰアドレスを通して再現することができるライブ放送、録画ビデオ、及びビデオオンデマンドを保存するメインビデオサーバに転送する。次に、テレビ又はビデオステーションのビデオ放送装置は、必要なプログラムを、例えばケーブルを介してテレビカードを備えたＰＣにプログラムを配信する配信サーバに送信する。
【００３０】
本発明は、一般に、必要な対象物又はプログラムを、インタネットを通して選択し、最終的にテレビケーブル又はテレビモニタに接続されたデジタルケーブルを通して受信されるように、インタネットに接続されたメイン認証サーバを通してテレビチャンネル又はビデオチャンネルをテレビ上に放送する方法及びシステムにも関する。本システム及び方法は、ＰＣを用いて作成されたユーザコマンドから必要なプログラムを再現することを含み、該送信は、最終的にケーブルを通ってユーザのいる場所にあるテレビモニタ又はＰＣに到達する。新規なシステムの最終結果は、ダウンロード又はリロードする必要のない、優れた音声及び画像である。ユーザは、ＰＣを開いてウェブサイトを閲覧することから開始し、次に一覧から選択すべきビデオの指示をクリックする。インタネットに接続された認証サーバは、コマンドを受け取って処理サーバに送信し、処理サーバは、該コマンドを、ＩＰアドレスを通して再現可能なライブ放送、録画ビデオ、及びビデオオンデマンドを含むテレビ又はビデオステーションのメインビデオサーバに転送する。次に、ビデオサーバは必要なプログラムを配信サーバに送信し、配信サーバは選択されたビデオを、ケーブルを通してテレビモニタに配信する。
【００３１】
更に、本発明は、一般に必要な対象物又はプログラムを、インタネットを通して受信し、最終的にテレビに接続された受信機及び／又はデコーダを通して受信させるように、テレビチャンネル又はビデオチャンネルを、衛星を通してインタネットにより接続された認証サーバによりテレビモニタ上に放送するための方法及びシステムに関する。本方法及びシステムは、ユーザのＰＣから必要なプログラムを再現することから始まり、最終的にダウンロード又はリロードする必要のない優れた究極の音声及び画像を有する選択されたビデオを、衛星を通してユーザのテレビモニタに表示する。コンピュータを開いてウェブサイトを閲覧する場合、ユーザはクリックして必要なビデオを選択する。インタネットに接続された認証サーバは、ユーザコマンドを受信してそれを処理サーバに送信し、処理サーバは、該ユーザコマンドをライブ放送、録画ビデオ、及びビデオオンデマンドを含むテレビ又はビデオステーションのメインビデオサーバに、ＩＰアドレスを通して送信する。次に、ビデオサーバは選択されたビデオを配信サーバに送信し、配信サーバは該ビデオを放送装置に送信し、放送装置は該ビデオを衛星に送信し、信号はチップを有する受信機又はデコーダによって受信され、最終的にテレビモニタに到達する。
【００３２】
更に、本発明は、一般にインタネットを通して選択された必要な対象物又はプログラムを受信し、最終的にテレビカードを有するＰＣに接続された受信機を通して受信させるように、衛星を通してインタネットに接続された認証サーバによりテレビチャンネル又はビデオチャンネルをテレビ上に放送する方法及びシステムにも関する。本システム及び方法は、ユーザのＰＣからプログラムを再現し、衛星送信により選択されたビデオを、テレビカードを備えたユーザのＰＣ上に表示し、該表示されたプログラムは、ダウンロード又はリロードの必要がない優れた音声及び画像を有する。ユーザは、自身のコンピュータを開いてウェブサイトを閲覧し、次に必要なビデオをクリックする。インタネットに接続された認証サーバは、必要なビデオを受信して処理サーバに送信し、処理サーバは該ビデオをライブ放送、録画ビデオ、及びビデオオンデマンドを含むテレビ又はビデオステーション上のメインビデオサーバに転送する。これは、ＩＰアドレスを通して再現することができ、ビデオサーバは次に、必要なビデオを配信サーバに送信し、配信サーバは必要なビデオを放送装置に送信し、その結果放送装置は必要なビデオを衛星に送信し、衛星はプログラムを、チップを備えた受信機又はデコーダに再送信し、最終的にテレビカードを備えたＰＣで受信される。
【００３３】
ビデオ又はテレビチャンネルをインタネットに接続された認証サーバを通してテレビ又はテレビカードを有するＰＣ上で放送する検討された方法及びシステムにおいて、システムは、下記の要素を有するのが好ましい。
（ａ）パーソナルコンピュータ。
（ｂ）インタネットを通してコマンドを受信するようにインタネットに接続されたメイン認証サーバ。
（ｃ）メインビデオサーバを操作するためにメイン認証サーバに接続された処理システム。
（ｄ）ライブビデオ、録画ビデオ、及びビデオオンデマンドを有するテレビ又はビデオステーション上のメインビデオサーバ。処理サーバから注文を受けた場合に、これらのプログラムを放送することができる。
（ｅ）メインビデオサーバから選択されたプログラムを受信し、該プログラムをテレビケーブル又はデジタルケーブルを通して、インタネットを通したユーザコマンドにより要求されたように放送する放送装置（配信サーバ）。
（ｆ）衛星を介して放送を送信する機器。
【００３４】
これらの異なる態様のすべてにおいて、ＩＰアドレスに接続されたウェブサイト上のメイン認証サーバは、ネットワークシステムのホストサイトであり、これは、加入者が、ケーブルコード又はチップコード、或いはデコーダ及び／又は受信機のパスワードを入力してビデオを見つけ、ビデオ注文のサイトに入ることを要求するために入るサイトである。
【００３５】
本発明による方法及びシステムは、メインビデオサーバ（ライブビデオ、録画ビデオ、ビデオオンデマンド）に保存され、前述のリソースを通して放送のためにアクセス可能なビデオのソースによっても区別される。
【００３６】
上述のように、本発明によるシステムは、ユーザコマンドが、チャンネルの利用可能性と協働して、配信を即座に又は後の指定時間に開始できるように構成されている。本システムは、メイン認証サーバに返信される１つ又は複数の利用可能なチャンネルの指示を、通常ユーザが注文を確認する要求とともに提供する。ユーザが確認すると、配信サーバは、所定のチャンネルで注文された時間に選択されたビデオの配信を処理する。注文を確認するときに、ユーザは、配信に使用されるチャンネルを通知され、自身のテレビモニタを指示されたチャンネルに合わせて計画された時間に送信されたビデオを受信することができる。
【００３７】
チャンネルがすべて使用中の場合、メイン認証サーバはユーザに通知を行い、場合によってはチャンネルが利用可能になる後の（又は前の）時間を提案することができる。この場合、ユーザは、注文を取り消すか、或いは選択された代わりの時間に配信を開始する注文を出すことができる。
【００３８】
ほとんどの場合、１つ又は複数の利用可能なチャンネルの選択は、配信サーバ内で自動化され、又はユーザがチャンネル選択に参加することができるように、部分的に自動化され得る。例えば、メイン認証サーバは、いくつかの利用可能なチャンネルの指示を提供してもよく、ユーザがチャンネルを選択すると配信が開始される。
【００３９】
別の変形例において、ユーザは、最初の注文の際、放送用の１つの選択されたチャンネル、またいくつかの選択されたチャンネルを指定することができる。この場合、配信サーバは、選択された１つ又は複数のチャンネルが要求された時間に配信を開始するのに利用可能かどうかを判断する。利用可能でない場合には、その注文は取り消すことができ、又は同一チャンネル上で代わりの時間、又は同一配信時間で代わりのチャンネルが提案され得る。
【００４０】
別の変形例において、ユーザは、配信のためにいくつかの好適な時間を指定することができる、又は時間の範囲（例えば、「この日のこの時間の間」、又は「次の時間内」、或いは別の指定時間によって）を指定することができる。サービスプロバイダは、ユーザの注文を単純化する種々の代替案を作成して、対話型の注文リストに含ませることができる。
【００４１】
特にライブ放送に関しては、ユーザは、イベントの送信前に特定の時間を指定することができるのみならず、ライブ放送が開始された後にそれに参加することもできる。そのような場合、見逃したイベントの最初の部分が録画されたものをユーザに提供することができる。
【００４２】
上記の説明から、本発明のシステム及び方法は、異なるタイプのビデオコンテンツを即時に又は遅れて注文する際に、ユーザに対して大きな柔軟性及び利便性を可能にすることが理解できよう。更に、注文の処理は、既存の機器を利用して本発明を実施できるサービスプロバイダにとって問題ない。
【発明を実施するための最良の形態】
【００４３】
図１は、特許文献１に記載のような国際ビデオ供給管理システムの図である。このシステムは、図示のように、ビデオ提供ソース１２０に接続された、提示地点（ＰＯＰ）１１０を有するメイン認証サーバ１００を含む。
【００４４】
図２は、特許文献１のような、ライブビデオ、保存ビデオ、及びビデオオンデマンドを提供するローカルＰＯＰビデオ一覧サーバを通してローカルＰＯＰ１１０によって更新されたメインソース一覧を示し、ローカルサーバとメインサーバ間が連続的に接続されるように、マスタビデオ一覧サーバ通している。
【００４５】
特許文献１の構成では、ビデオの放送はインタネットを介して行われる。従って、このシステムは、上述の不利点、特に不明瞭な音声及び画像、及びリロードの必要性に悩まされる。
【００４６】
図３から図６は本発明によるシステムを示している。図３は、必要なプログラムの再現を示し、ユーザのＰＣ１６０は、テレビカードを備え、メイン認証サーバ３００を通してインタネット１４０に接続され、その結果、新規システムにより、テレビカードを備えたユーザのＰＣ１６０上に表示の優れた音声及び画像が表示される。ユーザは、テレビカードを備えたコンピュータ１６０を開くと、インタネット上のウェブサイトを閲覧し、ＰＣ画面上に表示されたオプションの一覧上で必要なオプションをクリックすることにより必要なプログラムを選択する。インタネットに接続された認証サーバ３００は、必要なプログラムの注文を受信し、該注文を処理サーバ３２０に送信し、処理サーバ３２０が該注文を、テレビ又はビデオステーションのメインビデオサーバ２００に転送する。メインビデオサーバ２００は、ユーザが利用可能であり、カテゴリ等によって配列可能な選択一覧に（すべて又は一部分を）挙げることができるビデオコンテンツをすべて保存しており、これは、ライブ放送２１０、録画ビデオ２２０、及びビデオオンデマンド２３０を含んでいる。メインビデオサーバ２００のビデオコンテンツの１つ又は複数の一覧は、回線２７０を介してメイン認証サーバ３００に配信されるので、後者のＩＰアドレスにより再現できる。メインビデオサーバ２００は、必要なプログラムのような、処理サーバ３２０を介してユーザコマンドによって選択されたビデオコンテンツを、本実施形態ではプログラムを、テレビカードを備えたＰＣ１６０に配信する配信サーバ３５０に、例えばケーブル配信システム又はネットワークの一部を形成するケーブル２５０を介して送信する。
【００４７】
図４は、ユーザのＰＣ１６０からの注文によって必要なプログラムを再現し、ユーザのいる場所にあるテレビモニタ１５０へのケーブル２５０を通して終了する本発明による別のシステムを示している。ユーザがＰＣ１６０を開いてウェブサイトを閲覧する場合、ユーザは、メイン認証サーバ３００内の選択可能なプログラムの一覧から必要なプログラムをクリックする。インタネット１４０に接続された認証サーバ３００は、必要なコマンドを受信して該コマンドを処理サーバ３２０に送信し、処理サーバ３２０は該コマンドを、メイン認証サーバ３００のＩＰアドレスを通して選択的に再現可能なライブ放送２１０、録画ビデオ２２０、及びビデオオンデマンド２３０を保存しているメインビデオサーバ２００に転送する。次に、テレビ又はビデオステーションのメインビデオサーバ２００は、必要なプログラムを配信サーバ３５０に送信し、配信サーバ３５０は、必要なプログラムを、ケーブル２５０を通してテレビモニタ１５０に、受信機／デコーダ１９５を介して任意に配信する。
【００４８】
図５は、ユーザのＰＣ１６０からの注文によって必要なプログラムを再現し、送信ステーション２８０、通信衛星２８５、及び各ユーザのいる場所で、受信アンテナ２９０、チップを有する受信機及び／又はデコーダ２９５（いわゆるセットトップボックスで統合されることが多い）、及びテレビモニタ１５０を有する衛星システムを通してテレビモニタ１５０上に表示する本発明による別のシステムを示している。ユーザが、コンピュータ１６０を開き、ウェブサイトの閲覧時に、表示された一覧をクリックすることにより必要なプログラムを選択すると、認証サーバ３００は、インタネット１４０を介して接続してメインビデオサーバ２００から必要なプログラムを受信し、処理サーバ３２０に注文を送信し、処理サーバ３２０は該注文を、ＩＰアドレスを通して選択可能なライブ放送２１０、録画ビデオ２２０、及びビデオオンデマンド２３０を保存しているテレビ又はビデオステーションのメインビデオサーバ２００に送信する。その後、メインビデオサーバ２００は、必要なプログラムを配信サーバ３５０に送信し、配信サーバ３５０は送信ステーション２８０に必要なプログラムを送信し、送信ステーション２８０は該プログラムをサテライト２８５に送信し、衛星２８５の信号が、受信アンテナ２９０で受信され、次に受信機及び／又はデコータ２９５に転送されて、最終的にユーザのテレビモニタ１５０で受信される。
【００４９】
図６は、衛星システム２８０，２８５，２９０を通して、ユーザのＰＣ１６０からの注文によってプログラムを再現し、プログラムを、テレビカードを備えたＰＣ１６０上に表示する可能性を示している。ユーザがコンピュータ１６０を開いてウェブサイトを閲覧する場合、ユーザが必要なプログラムをクリックすると、次にインタネット１４０に接続された認証サーバ３００は、必要なプログラムを選択し、ライブ放送２１０、録画ビデオ２２０、及びビデオオンデマンド２３０を含むメインビデオサーバ２００に接続された処理サーバ３２０に、コマンドを送信する。選択されたプログラムは、メインビデオサーバ３００のＩＰアドレスを通して再現することができる。次に、テレビ又はビデオステーションのメインビデオサーバ２００は、必要なプログラムを配信サーバ３５０に送信し、配信サーバ３５０は必要なプログラムをステーション２８０に送信し、次に、放送局２８０がその結果必要な送信を衛星２８５に送信し、衛星２８５はユーザの受信アンテナ２９０によって選択されたプログラムを再送信し、次にチップを備えた受信機又はデコーダ２９５に送信し、最終的にテレビカードを備えたユーザのＰＣ１６０で受信される。
【００５０】
上述の実施形態のすべてにおいて、システムは、ユーザがメイン認証サーバ３００にビデオを選択するコマンドを送信する際、この注文が、処理サーバ３２０及びメインビデオサーバ２００を介して処理されるように構成される。後者は、配信サーバ３５０及び／又は送信ステーション２８０とともに、どのチャンネルが選択されたビデオコンテンツを即座に又はユーザコマンドに応じて後で放送するのに利用可能かどうかを判断する。ケーブル２５０及び衛星システム２８０、２８５は、数百ものデジタルテレビ放送用のチャンネルを有し、その一部又はすべてをビデオオンデマンド送信のために確保できることが好ましい。ユーザが即座に配信することを要求する通常の事例において、配信サーバ３５０は、選択されたビデオの送信を即座に開始するのに利用可能な、少なくとも１つのチャンネルを決定する。次に、利用可能なチャンネルの指示は、通常ユーザが注文を確認する要求とともにメイン認証サーバ３００に返信される。ユーザが確認すると、配信サーバ３５０は選択されたビデオの即時の配信を処理する。同時に、ユーザは、配信に使用されるチャンネルを通知され、自身のテレビモニタ１５０（又はテレビカードを備えたＰＣ１６０）を指示されたチャンネルに合わせて、送信されたビデオを受信することができる。
【００５１】
ユーザが選択されたビデオを後の指定時間に配信することを要求する場合、配信サーバ３５０は、選択されたビデオの送信を指定の時間に開始するのに利用可能な、少なくとも１つのチャンネルを決定する。次に、利用可能なチャンネルの指示は、通常ユーザが注文を確認する要求とともにメイン認証サーバ３００に返信される。ユーザが確認すると、配信サーバは注文された時間に所定のチャンネル上への選択されたビデオの配信を処理する。注文を確認すると、ユーザは、配信に使用されるチャンネルを通知され、自身のテレビモニタ１５０（又はテレビカードを備えたＰＣ１６０）を指示されたチャンネルに合わせて、予定の時間に送信されたビデオを受信することができる。
【００５２】
すべてのチャンネルが使用中なのでビデオ配信が即座に開始できない場合、又は配信サーバがチャンネルをすべてユーザによって要求された後の時間に既に割当てている場合、メイン認証サーバ３００は、ユーザに通知することができ、また配信サーバ３５０からのフィードバックに基づいて、チャンネルが利用可能になる後の（或いは前の）時間を提案することができるであろう。この場合、ユーザは、注文を取り消すか、又は選択された代わりの時間に配信を開始する注文を出すことができる。
【００５３】
ほとんどの場合、１つ又は複数の利用可能なチャンネルの選択は、既存の注文及び要求に従って変動する予測される未来のチャンネルの利用可能性に応じて、チャンネルの割当てを制御するソフトウェアに基づいて、配信サーバ３５０で自動的に行うことができる。ただし、ユーザはチャンネル選択に参加することができる。例えば、一変形例において、メイン認証サーバ３００は、ユーザにいくつかの利用可能なチャンネルの指示を提供し、ユーザがこれらのチャンネルの１つを選択すると配信が開始される。
【００５４】
ユーザが、当初の注文で、配信用の１つの選択チャンネル又は複数の選択チャンネルを指定すると、配信サーバ３５０は、選択されたチャンネルが必要な時間に分配を開始するのに利用可能かどうかを判断する。利用可能でない場合には、その注文は取り消すことができ、又は同一チャンネル上で代わりの時間、又は同一配信時間で代わりのチャンネルが提案され得る。
【００５５】
ユーザが、配信のために複数の好適な時間又は時間範囲を指定した場合、配信サーバ３５０は、ユーザから与えられた好みの順序に従って、又はチャンネル占有及び／又は要求の予測、或いはこれら又は他のパラメータの組合せに従って、チャンネルの利用可能性を検索することができる。
【００５６】
上記の説明から、本発明のシステム及び方法は、ユーザが、その配信が即時に又は遅れて開始される、異なるタイプのビデオコンテンツを注文する際に、注文の処理に問題がなく、サービスプロバイダが既存の機器及び開発が容易なソフトウェアを使用して本発明を実施できる、大きな柔軟性及び利便性を可能にすることが理解できよう。
（発明の更なる詳細な説明）
【００５７】
本発明は、ライブ、録画された、又はオンデマンドのものであれその製品のタイトルがインタネット上のメイン認証サイト３００上に一覧として挙げられて、選択可能な数百万ものテレビ及び映画フィルムから、及びビデオフィルムやプログラムから、利点を得ることを目的としている。本発明によるシステムは、本発明の一態様のように、必要なプログラム及びビデオコンテンツをユーザの選択によってウェブサイトから放送する、あらゆる既存の衛星ステーションから作動させ、及び放送を行うことができ、これらのステーションは、衛星２８５を介して、又は例えばケーブル２５０等の他のテレビ放送によってのいずれかで放送を送信し、放送は受信機及び／又はデコーダ２９５によって受信される。
【００５８】
本発明は、インタネットを介して利用可能な一覧から、ただしインタネットを介してではなくテレビ又はビデオチャンネルを介して送信される、明瞭な音声及び画像を備えたビデオチャンネル又はテレビチャンネルを放送する方法及びシステムの両方に関する。
【００５９】
以下の説明は、インタネットを介したライブビデオ、記録ビデオ、ビデオオンデマンドを含む新規な操作システムを備えた実際的な方法において、ＰＣから開始されるビデオ供給管理システムの好ましい一実施形態について説明している。ユーザがウェブサイトを閲覧する場合、サイト上には、ライブイベントとして多くのオプションがあり、必要なオプションをクリックすることにより、インタネット１４０に接続された認証サーバ３００は、必要なプログラムを受信し、該プログラムを処理サーバ３２０に送信する。処理サーバ３２０の仕事は、ライブイベント２１０、録画ビデオ２２０、又はビデオオンデマンド２３０等のビデオコンテンツを保存する、メインビデオサーバ２００を開き、閉じることである。メインビデオサーバ２００の供給物及びコンテンツは、特許文献１又は他のリソースに記載されたようなものでもよい。メインビデオサーバ２００は、選択されたビデオを、テレビケーブル２５０を通してデジタル（好ましくは）又はアナログ信号のいずれかで、或いはネット上で予め認証サーバによって定義されたユーザコードを含んでいる、チップを備えた受信機及び／又はデコーダ２９５を備えた衛星２８５を介して配信する配信サーバ３５０も備えたテレビ又はビデオステーションの一部である。
【００６０】
ただし、システムの要求に応じて、追加の数のサーバ２００及び３００を使用することが可能である。
【００６１】
図５は、衛星２８５を通して、及び必要なプログラムを選択するのにインタネット１４０に接続された認証サーバ３００を通して、即ち、ユーザがウェブ上のメイン認証サーバ３００を通して所望のプログラムを選択することにより、ビデオ放送又はテレビチャンネルを受信する可能性を示している。必要なプログラムを選択する際、認証サーバ３００は、注文を処理サーバ３２０に送信し、処理サーバ３２０がこれをテレビ又はビデオステーションのメインビデオサーバ２００に、次に配信サーバ３５０に送信し、配信サーバ３５０が、地上放送局２８０を通して、必要なプログラムを衛星２８５に送信する。次に、衛星２８５は、受信アンテナ２９０で受信された必要なものを再送信し、最終的にユーザのコードを保存するチップを有する受信機及び／又はデコーダ２９５が接続されたテレビモニタ１５０又はテレビカードを有するＰＣ１６０で受信される。そのような放送用の衛星ネットワーク上の多数のチャンネル中に利用可能なチャンネルがあるはずであり、また、各ユーザにはチップ上のユーザのコードによって通知することができ、受信機／デコーダ２９５上で見出される。
【００６２】
ユーザがメイン認証サーバ３００のウェブサイトを開くと、ビデオコンテンツの製作及び転送の方法に応じて、ライブイベント、録画ビデオ、ビデオオンデマンド等の種々のオプションがある。後者は、デジタルビデオ、テレビ番組、ペイパービュー、医学会議、通信教育、会議、広告、顧客サービス、販売、電子商取引等であってもよく、それらは、オンラインコマンドによりインタネットを通してあらゆる場所にいるユーザに配信することができる。システムの使用は、一般の人々が何をオンラインで即座に求めるか、システムの経験、及び、任意の場所におけるローカルイベントとライブイベントを取り上げるビデオコンテンツを用いた作品にとって重要な高品質のビデオコンテンツ、に依存する。いかなるオンサイトカメラ又はコンピュータカメラも、コンピュータカメラのフォーマットをテレビ表示用のデジタルフォーマットに変換することができる。
【００６３】
本発明に基づいて、ＰＣ１６０を、メイン認証サーバ３００、及びメイン認証サーバのＩＰアドレスに接続されたウェブサイト上のローカルＰＯＰサーバを通して使用することができる。メイン認証サーバの主なウェブサイトは、システムネットワークのホームサイトであり、加入者がメインビデオサーバ３００の１つ又は複数のサイトで通信可能なサイトである。それに加えて、ユーザは、テレビケーブル、デジタルケーブル、又は受信機及び／又はデコーダ２９５のチップコードのコードを入力し、これが処理サーバ３２０に、次いでテレビ又はビデオステーションのメインビデオサーバ３５０に転送され、次に、最終的にテレビのデジタルケーブル２５０に接続された、或いは、衛星２８５を介して放送するためにステーション２８０に接続された配信サーバ３５０に接続され、ユーザのテレビモニタ１５０又はテレビカードを備えたＰＣ１６０で受信され、その後、テレビカードを有するＰＣ１６０又はテレビモニタ１５０に接続された受信アンテナ２９０及び／又はデコーダ２９５通して放送を選択することができる。このようにして、インタネットを通して選択された必要なプログラムをテレビモニタ上で見ることができる。
【００６４】
本システムにおいて、ユーザは、メイン認証サーバ３００から必要な対象物を選択することができ、これは、インタネット１４０を介してウェブサイト上で見出され、ケーブル、デジタルケーブル又は衛星を通して送信され、最終的にテレビチャンネル又はビデオを受信するテレビモニタ１５０又はテレビカードを有するＰＣ１６０で受信される。実際に実施されている先行技術のシステムにおいて、これらのプログラムの視聴は、ビデオウェブを通してインタネット上で行われていた。しかし、本発明によるシステムにおいては、加入者の選択により低コストの５６ｋバイト又は２８ｋバイトのモデム或いは他の高速接続を使用して、インタネットに接続することが可能である。ただし、良好な品質の明瞭なビデオ及び音声を達成するのに高速で高価な接続を使用する必要はない。メイン認証サーバ３００（これは、処理サーバに注文を発し、テレビケーブル、デジタルケーブル、及び受信機を通して、又は衛星を通した放送によって、必要な対象物を送信し、テレビモニタ又はテレビカードを有するＰＣ上に表示する）を通して必要なプログラムを選択することが、低コストの５６ｋバイト又は２８ｋバイトのモデムで達成可能である。
【００６５】
上に説明したように、本システムは、即時に又は遅れて放送するのに利用可能なチャンネルを選択する多くのオプション及び大きな柔軟性を提供する。
（従来技術と本発明との比較）
【００６６】
先行技術と本発明との違いには、下記の項目が挙げられる。
（１）ロード及びリロード
実現された先行技術のシステムにおいて、プログラムは、インタネットを通してダウンロードされるが、複数回リロードする必要がある場合があり、また、突然停止する可能性がある。
本発明においては、表示は、テレビモニタ上又はテレビカードを有するＰＣ上のいずれかで表示することにより、インタネットからダウンロードすることなく達成される。突然の停止は回避され、また、ダウンロード及びリロードする必要が回避される。
【００６７】
（２）音声及び画像
実現された先行技術のシステムにおいて、インタネット上に表示された画像は、特に５６ｋバイトのモデムを使用している場合に、不鮮明になることがある。一例として、画像を最大にすることに問題がある。
本発明のシステムにおいては、５６ｋバイトのケーブルが使用される場合であっても画像は明瞭であり、画像はフルスクリーン上で最大にすることができる。
【００６８】
（３）ケーブルの使用
実現された先行技術のシステムにおいて、音声及び特に画像を明瞭にするのに高速モデムが使用される。これは高価であり、ケーブルの速度に依存する。先行技術において、モデム速度がより高速になれば常に、性能はより向上する。
本発明では、ユーザがそのように所望すれば、５６ｋバイトのケーブルを使用することができる。これは安価であり、明瞭な音声及び画像を提供する。本発明のシステムにおいては、音声と画像を明瞭にするのに高速モデムを使用する必要はない。
【００６９】
（４）音声及び画像の送受信
実現された先行技術のシステムにおいて、ビデオウェブを通してＰＣ画面上で音声及び画像を受信、表示するのに同一モデムラインが使用されるので、音声及び画像の送受信は双方向である。
本発明においては、音声及び画像の受信は一方向である。本発明のシステムにおいては、プログラムは、テレビ又はＰＣカードを有するＰＣ上に表示される。
【００７０】
（５）表示される対象物
実現された先行技術のシステムにおいて、必要なビデオは、ビデオウェブによりインタネットを介して表示される。
本発明のシステムにおいては、ユーザは、テレビチャンネル、ビデオチャンネル、及びプログラムを、インタネットを使用して選択し、テレビモニタ又はテレビカードを有するＰＣ上に表示することができる。これが、明瞭な音声及び画像を備えたビデオチャンネル又はテレビチャンネルを放送する方法及びシステムである。
【００７１】
（６）「フローファイル」を表示するための特別なプログラムの使用
実現された先行技術のシステムにおいて、インタネットを介してビデオの「フローファイル」を表示するのに、ＱｕｉｃｋＴｉｍｅ（商標）又はＷｉｎｄｏｗｓ（商標）メディアシステムが使用されていた。
本発明においては、ＱｕｉｃｋＴｉｍｅ（商標）又はＷｉｎｄｏｗｓ（商標）メディアシステム等のビデオ表示プログラムを表示用に使用しない。
【００７２】
（７）放送のためのチャンネルの選択
特許文献３では、ユーザは、配信スケジュールを使用して、選択されたビデオを配信するテレビチャンネルと延期された時間とを選択している。
本発明においては、利用可能なチャンネルがシステムによって選択されるので、選択されたビデオは即座に配信することができ、ユーザは、即時又は延期配信に対するビデオを注文するのに、はるかに大きな容易性及び柔軟性を有している。
【図面の簡単な説明】
【００７３】
本発明は、添付の図面を参照して、既知のシステムと比較して詳細に説明されるが、図１及び２は、従来技術を示し、図３から図６は、例示のために本発明によるシステムを示している。図において、
【図１】特許文献１に記載のような、ビデオ供給管理システムの国際ネットワークの図を示している。
【図２】特許文献１に記載のような、ローカルビデオサーバから主ビデオ機器までの主ビデオの供給を示している。
【図３】本発明によるシステムにおけるテレビカードを備えたＰＣから選択されたプログラムのインタネットに接続されたメイン認証サーバによる再現及びテレビカードを備えたＰＣ上への優れた音声と画像の表示を示している。
【図４】本発明によるシステムにおいて、ＰＣを使用し、最終的にケーブルを通してテレビに選択されたプログラムを再現する機構を示している。
【図５】衛星送信を介してＰＣを使用し、最終的にテレビモニタ上に表示される選択されたプログラムを再現する機構を示している。
【図６】衛星送信を介したＰＣを使用して最終的にテレビカードを備えたＰＣ上に表示される選択されたプログラムを再現する機構を示している。
【図１】
2007511127.tif 000003
【図２】
2007511127.tif 000004
【図３】
2007511127.tif 000005
【図４】
2007511127.tif 000006
【図５】
2007511127.tif 000007
【図６】
2007511127.tif 000008
【国際調査報告】
2007511127.tif 000009
2007511127.tif 000010